(57)【要約】【課題】簡単な操作で組み立てることができるオブラート支持容器を提供する。【解決手段】外側プレート部１１と内側プレート部１２を重ねて接合したオブラート支持容器１は、非接合領域１４と対応非接合領域１４′で接合されておらず、中央折曲線Ｌ２で内側プレート部１２が内側になるよう折り曲げると、非接合領域１４に形成したつまみ用切断部１５からつまみ片１７が外れ、つまみ片１７を引っ張って非接合領域１４を引き出すことで、コーン状のオブラートを支持できるオブラート収容部１９が画成される。【選択図】図１
2020169030.tif 000002
【特許請求の範囲】
【請求項１】
薄板材から成る外側プレート部と、
前記外側プレート部と同一形状の薄板材で、接合手段により前記外側プレート部と重ねて接合される内側プレート部と、
前記接合された外側プレート部と内側プレート部の対向する２辺である開口側縁部と底縁部を二分するように折り曲げるための中央折曲線と、
前記内側プレート部の中央折曲線を中心として、前記開口縁部から前記底縁部に向かってテーパ状に狭くなり、前記接合手段によって前記外側プレート部と接合されていない領域であって、前記中央折曲線を山折りにして引き出すことにより、前記内側プレート部が内側となるように中央折曲線で折り曲げた外側プレート部との間に、下方に向けて四角錘状に窪むオブラート収容部を形成できる非接合領域と、
前記非接合領域の両側境界にそれぞれ設けられ、前記非接合領域の中央折曲線を山折りするときに、谷となるように折り曲げるための一対のテーパ折曲線と、
前記非接合領域に形成され、第１切断端部から第２切断端部まで連続する切断線が所要形状のつまみ片となり、前記接合された外側プレート部と内側プレート部を、前記内側プレート部が内側となるように中央折曲線で折り曲げて開いたとき、前記非接合領域を引き出すために摘まめるつまみ片が抜け出し得るつまみ用切断部と、
を設けたことを特徴とするオブラート支持容器。
【請求項２】
薄板材から成る同一形状の外側プレート部と内側プレート部を重ねて、接合手段により接合することでオブラート支持容器と成し、
前記内側プレート部には、
前記中央折曲線を中心とし、前記重合折曲線と対向する開口縁部から前記重合折曲線側に向かってテーパ状に狭くなる領域であって、前記接合手段によって前記内側プレート部が前記外側プレート部と接合されない非接合領域と、
前記非接合領域の両側境界にそれぞれ設けられ、前記中央折曲線に対して線対称となる一対のテーパ折曲線と、
前記非接合領域に形成され、第１切断端部から第２切断端部まで連続する切断線が所要形状のつまみ片となり、前記第１切断端部と前記第２切断端部との間が容易に断裂しない連結保持部となるつまみ用切断部と、
を設け、
前記内側プレート部側が谷となるように前記中央折曲線に沿って前記オブラート支持容器を折り曲げて開くことにより、前記つまみ用切断部に沿って前記つまみ片を抜け出させ、前記内側プレート部の中央折曲線が山となるように前記つまみ片を引っ張り、前記一対のテーパ折曲線が谷となるように折り曲げることにより、前記内側プレート部の非接合領域と前記外側プレート部との間に下方に向けて四角錘状に窪むオブラート収容部を画成させるようにしたことを特徴とするオブラート支持容器。
【請求項３】
前記重合折曲線、前記中央折曲線、前記テーパ折曲線の少なくとも１種類は、容易に切れないミシンピッチのミシン目加工で形成したことを特徴とする請求項１又は請求項２に記載のオブラート支持容器。
【請求項４】
前記非接合領域の下部となる一対のテーパ折曲線の下端部を繋ぐように開口用切断部を設け、前記オブラート収容部の底に開口を生じさせたことを特徴とする請求項１〜請求項３の何れか１項に記載のオブラート支持容器。
【請求項５】
前記非接合領域における前記中央折曲線方向の中間に前記つまみ片が生ずるように、前記つまみ用切断部を設けたことを特徴とする請求項１〜請求項４の何れか１項に記載のオブラート支持容器。
【請求項６】
前記つまみ用切断部の第１切断端部と第２切断端部は、前記中央折曲線上に形成したことを特徴とする請求項１〜請求項５の何れか１項に記載のオブラート支持容器。
【発明の詳細な説明】
【技術分野】
【０００１】
本発明は、予めコーン状に成形されたオブラートを支持するための支持容器に関する。
【背景技術】
【０００２】
オブラートは、周知のように粉末状や顆粒状等の飲み下しにくい薬を包んで、これを服用するときに用いられる。昨今においては、薬をより包みやすくするために、予めコーン状に成形されたオブラートが提供されている。コーン状を呈するオブラートは、既に一端が閉塞された袋状となっているので、その内部に薬を入れれば、他端の開口を閉じるだけで薬を包み込むことができる。しかしながら、コーン状のオブラートは自立することができないため、片手でオブラートを持ったまま、空いている手で薬を入れるような煩雑さがある。そこで、コーン状のオブラートを支持する支持容器とともにパッケージ化して販売されている。
【０００３】
オブラート支持容器としては、可搬性を損なわないように、一枚の薄い紙製（或いはプラスチック製）のプレートから構成され、比較的単純な動作で自立可能な支持容器となるオブラート用支持容器が提案されている（例えば、特許文献１を参照）。
【０００４】
特許文献１に記載のオブラート支持容器は、プレートの短幅方向を二等分する中央折曲線と、プレートの長幅方向を第１プレート部と第２プレート部に二等分する重合折曲線が設けられている。重合折曲線で第１プレート部と第２プレート部を重ね合わせ、接合部分で貼り付けると、無接合部分のみで第１プレート部と第２プレート部を離隔させることができる。第１プレート部および第２プレート部に設ける無接合部分は、中央折曲線の基端部（重合折曲線と交わる端部）から先端部に向けて漸次幅が広くなる略三角形状の領域である。また、第２プレート部における無接合部分の辺縁には、中央折曲線に対して線対称となる一対の補助折曲線が設けられている。さらに、第１プレート部の前記無接合部分の上端には円弧状の突出部が設けられ、第２プレート部の前記無接合部分の上端には舌片が突出している。
【０００５】
特許文献１に記載のオブラート支持容器を、コーン状のオブラートを支持できるように組み立てるとき、第２プレート部側が内側となるように、中央折曲線で第１プレート部と第２プレート部を折り曲げる。中央折曲線で折り曲げられた両側片を９０度程度にすると、オブラート支持容器は安定して自立する。さらに、第２プレート部のみを中央折曲線で山折りに折り曲げると、無接合部分で第１プレート部と第２プレート部とが離れ、その間には、下方に向けて凸となる水上の収容部が画成される。
【０００６】
このように、特許文献１に記載のオブラート支持容器は、一枚のシートから成るので可搬性が高く、使用時に組み立てれば、自立可能な状態になると共に、コーン状のオブラートを上から差し込んで支持できる収容部が形成されるので、利便性が高い。
【先行技術文献】
【特許文献】
【０００７】
【特許文献１】特許第３６７７１８４号公報
【発明の概要】
【発明が解決しようとする課題】
【０００８】
しかしながら、特許文献１に記載の発明は、組立操作に難があり、利便性が高いと言えない点もあった。特許文献１に記載のオブラート支持容器では、第２プレート部を山折りにするため、第２プレート部の無接合部を第１プレート部から引き起こさなければならないが、第１プレート部と第２プレート部との密着性が高いと、その作業が難しいのである。特許文献１に記載のオブラート支持容器には、第１プレート部と第２プレート部の無接合部分を離隔させる操作の助けとするため、突出部や舌片が設けてあるものの、爪や指先で比較的小さな突出部や舌片を捉えて無接合部全体を引き起こす作業は容易くない。しかも、爪や指先でオブラート支持容器を触っていると、紙の辺縁が爪の間に刺さったり、指先を切ったりする危険性が有る。
【０００９】
そこで、本発明は、簡単な操作で組み立てることができるオブラート支持容器の提供を目的とする。
【課題を解決するための手段】
【００１０】
前記課題を解決するための第１のオブラート支持容器は、薄板材から成る外側プレート部と、前記外側プレート部と同一形状の薄板材で、接合手段により前記外側プレート部と重ねて接合される内側プレート部と、前記接合された外側プレート部と内側プレート部の対向する２辺である開口側縁部と底縁部を二分するように折り曲げるための中央折曲線と、前記内側プレート部の中央折曲線を中心として、前記開口縁部から前記底縁部に向かってテーパ状に狭くなり、前記接合手段によって前記外側プレート部と接合されていない領域であって、前記中央折曲線を山折りにして引き出すことにより、前記内側プレート部が内側となるように中央折曲線で折り曲げた外側プレート部との間に、下方に向けて四角錘状に窪むオブラート収容部を形成できる非接合領域と、前記非接合領域の両側境界にそれぞれ設けられ、前記非接合領域の中央折曲線を山折りするときに、谷となるように折り曲げるための一対のテーパ折曲線と、前記非接合領域に形成され、第１切断端部から第２切断端部まで連続する切断線が所要形状のつまみ片となり、前記接合された外側プレート部と内側プレート部を、前記内側プレート部が内側となるように中央折曲線で折り曲げて開いたとき、前記非接合領域を引き出すために摘まめるつまみ片が抜け出し得るつまみ用切断部と、を設けたことを特徴とする。
【００１１】
前記課題を解決するための第２のオブラート支持容器は、薄板材から成る同一形状の外側プレート部と内側プレート部を重ねて、接合手段により接合することでオブラート支持容器と成し、前記内側プレート部には、前記中央折曲線を中心とし、前記重合折曲線と対向する開口縁部から前記重合折曲線側に向かってテーパ状に狭くなる領域であって、前記接合手段によって前記内側プレート部が前記外側プレート部と接合されない非接合領域と、前記非接合領域の両側境界にそれぞれ設けられ、前記中央折曲線に対して線対称となる一対のテーパ折曲線と、前記非接合領域に形成され、第１切断端部から第２切断端部まで連続する切断線が所要形状のつまみ片となり、前記第１切断端部と前記第２切断端部との間が容易に断裂しない連結保持部となるつまみ用切断部と、を設け、前記内側プレート部側が谷となるように前記中央折曲線に沿って前記オブラート支持容器を折り曲げて開くことにより、前記つまみ用切断部に沿って前記つまみ片を抜け出させ、前記内側プレート部の中央折曲線が山となるように前記つまみ片を引っ張り、前記一対のテーパ折曲線が谷となるように折り曲げることにより、前記内側プレート部の非接合領域と前記外側プレート部との間に下方に向けて四角錘状に窪むオブラート収容部を画成させるようにしたことを特徴とする。
【００１２】
また、前記構成において、前記重合折曲線、前記中央折曲線、前記テーパ折曲線の少なくとも１種類は、容易に切れないミシンピッチのミシン目加工で形成しても良い。
【００１３】
また、前記構成において、前記非接合領域の下部となる一対のテーパ折曲線の下端部を繋ぐように開口用切断部を設け、前記オブラート収容部の底に開口を生じさせても良い。
【００１４】
また、前記構成において、前記非接合領域における前記中央折曲線方向の中間に前記つまみ片が生ずるように、つまみ用切断部を設けても良い。
【００１５】
また、前記構成において、前記つまみ用切断部の第１切断端部と第２切断端部は、前記中央折曲線上に形成しても良い。
【発明の効果】
【００１６】
本発明によれば、内側プレート部側が谷となるように中央折曲線に沿ってオブラート支持容器を折り曲げると、接合手段によって内側プレート部と外側プレート部が接合されていない非接合領域に歪みが集中し、つまみ用切断部に沿ってつまみ片が抜け出す。すなわち、内側プレート部に設けたつまみ用切断部から指先等でつまみ片を取り出す操作が不要となるので、指先等を切る危険性をなくし、簡単につまみ片を摘まむことが可能となる。しかも、つまみ片を摘まめば、内側プレート部の非接合領域を外側プレート部から離隔させて引き出す操作を楽に行うことができ、オブラート収容部を画成する操作が一層簡単になる。
【図面の簡単な説明】
【００１７】
【図１】（Ａ）は、第１実施形態に係るオブラート支持容器を成すプレートの展開図である。（Ｂ）は、第１実施形態に係るオブラート支持容器の内側プレート部側を示す正面図である。（Ｃ）は、つまみ用切断部から抜け出したつまみ片でオブラート収容部を画成する過程を示す斜視図である。（Ｄ）は、コーン状のオブラートを支持できるように組み立てたオブラート支持容器の外観斜視図である。
【図２】（１）は、第２実施形態に係るオブラート支持容器の内側プレート部側を示す正面図である。（２）は、第３実施形態に係るオブラート支持容器の内側プレート部側を示す正面図である。（３）は、第４実施形態に係るオブラート支持容器の内側プレート部側を示す正面図である。
【図３】（１）は、第５実施形態に係るオブラート支持容器の内側プレート部側を示す正面図である。（２）は、第６実施形態に係るオブラート支持容器の内側プレート部側を示す正面図である。（３）は、第７実施形態に係るオブラート支持容器の内側プレート部側を示す正面図である。
【発明を実施するための形態】
【００１８】
次に、添付図面に基づいて、本発明に係るオブラート支持容器の実施形態につき説明する。なお、オブラート支持容器は、支持対象であるコーン状のオブラートの包装箱に入れられるよう、一枚の薄板材（例えば、厚口の紙、樹脂製フィルム等）であるプレートから構成される。以下では、搬送に適した組立前のオブラート支持容器を非使用状態、コーン状のオブラートを支持可能に組み立てた後のオブラート支持容器を使用状態とよぶ。
【００１９】
図１（Ａ）に示すのは、縦長矩形状を成す１枚の紙製プレート１０である。なお、紙製プレート１０は、非使用状態から使用状態にするための組み立て易さと、自立してコーン状のオブラートを保持できる剛性とを兼ね備えた適宜な厚さの紙（例えば、０．３６〜０．５〔ｍｍ〕程度のコートボール紙等）を用いることが望ましい。
【００２０】
紙製プレート１０は、その長幅方向（図１（Ａ）においては上下方向）を二等分する直線状の重合折曲線Ｌ１により、同一形状の外側プレート部１１と内側プレート部１２に分けられる。紙製プレート１０の一方の短幅辺は、外側プレート部１１の外側開口縁部１０ａ１となり、他方の短幅辺は、内側プレート部１２の内側開口縁部１０ａ２となる。また、紙製プレート１０の一方の長幅辺は、重合折曲線Ｌ１を介してほぼ二分され、外側プレート部１１の外側第１側縁部１０ｂ１と、内側プレート部１２の内側第１側縁部１０ｂ２となる。紙製プレート１０の他方の長幅辺は、重合折曲線Ｌ１を介してほぼ二分され、外側プレート部１１の外側第２側縁部１０ｃ１と、内側プレート部１２の内側第２側縁部１０ｃ２となる。
【００２１】
例えば、図１（Ａ）中のα方向に、重合折曲線Ｌ１で内側プレート部１２を折り曲げ、外側プレート部１１と重なるように、接合手段の一例である接着剤１３により接合することで、一枚の厚紙に見えるオブラート支持容器１と成る（図１（Ｂ）を参照）。オブラート支持容器１となったとき、外側プレート部１１の外側開口縁部１０ａ１と外側第１側縁部１０ｂ１と外側第２側縁部１０ｃ１が、それぞれ内側プレート部１２の内側開口縁部１０ａ２と内側第１側縁部１０ｂ２と内側第２側縁部１０ｃ２に重なる。また、紙製プレート１０の長幅方向中央に形成した重合折曲線Ｌ１に相当する底縁部１０ｄは、使用状態のオブラート支持容器１をテーブル等に載せるとき、テーブル面等に接する部分（下部）となる。なお、外側プレート部１１と内側プレート部１２を別体（例えば、同一形状の外側プレートと内側プレート）としておき、両者の四側辺が一致するように重ねて接合しても良い。そして、外側プレートと内側プレートを別体とするなら、その形状は矩形に限定されず、底縁部１０ｄとするための直線状の辺が一つあれば、台形や半円形等にしても構わない。また、中央折曲線Ｌ２を設ける位置は、外側プレート部１１と内側プレート部１２を二等分する位置に限定されず、底縁部１０ｄに対して直交していれば、中央よりも側方にずらして設けても構わない。
【００２２】
また、紙製プレート１０には、重合折曲線Ｌ１に直交して、内側プレート部１２と外側プレート部１１を二等分する直線状の中央折曲線Ｌ２を形成してある。すなわち、重合折曲線Ｌ１で外側プレート部１１と内側プレート部１２を折り曲げて重ね合わせたとき、外側プレート部１１の中央折曲線Ｌ２と、内側プレート部１２の中央折曲線Ｌ２はぴったり重なる。よって、オブラート支持容器１は、中央折曲線Ｌ２に沿って、外側プレート部１１と内側プレート部１２を一体に曲げることができる。例えば、内側プレート部１２の内側第１側縁部１０ｂ２側および外側プレート部１１の外側第１側縁部１０ｂ１側の半身を、図１（Ｂ）中のβ方向に折り曲げると、内側プレート部１２が谷となるようにオブラート支持容器１を半分に折り曲げることができる。
【００２３】
内側プレート部１２には、接着剤１３を塗布しない領域を設けることで、接合手段によって外側プレート部１１と接合されない非接合領域１４を設ける。この非接合領域１４には、内側プレート部１２を貫通するつまみ用切断部１５を形成する。なお、外側プレート部１１の対応する領域に接着剤１３が塗布されていると、非接合領域１４として機能しないので、外側プレート部１１の対応する領域は非接合対応領域１４′として、接着剤１３を塗布しない。また、非接合領域１４、非接合対応領域１４′を除く部位全てに接着剤１３を塗布する必要はなく、外側プレート部１１と内側プレート部１２が剥がれない要部数カ所にのみ接着剤を塗布しても良い。また、接合手段は接着剤１３に限らず、ステープルや粘着テープ等を接合手段として用いても良い。
【００２４】
非接合領域１４は、中央折曲線Ｌ２を中心とし、内側開口縁部１０ａ２から底縁部１０ｄ側（重合折曲線Ｌ１側）に向かってテーパ状に狭くなる領域である。非接合領域１４の両側境界には、中央折曲線Ｌ２に対して線対称となる第１テーパ折曲線Ｌ３ａと第２テーパ曲線Ｌ３ｂを設ける。第１テーパ折曲線Ｌ３ａの上端部Ｌ３ａ１と第２テーパ折曲線Ｌ３ｂの上端部Ｌ３ｂ１は、内側開口縁部１０ａ２と一致させる。また、第１テーパ折曲線Ｌ３ａの下端部Ｌ３ａ２と第２テーパ折曲線Ｌ３ｂの下端部Ｌ３ｂ２を繋ぐように、弧状の開口用切断部１６を設ける。すなわち、内側プレート部１２の非接合領域１４は、内側開口縁部１０ａ２、第１，第２テーパ折曲線Ｌ３ａ，Ｌ３ｂおよび開口用切断部１６で囲まれた範囲であり、外側プレート部１１の非接合対応領域１４′から離隔させることができる。
【００２５】
非接合領域１４に形成したつまみ用切断部１５は、第１切断端部１５ａから第２切断端部１５ｂまで連続する切断線が、例えば⊃状のつまみ片１７となり、第１切断端部１５ａと第２切断端部１５ｂとの間は連結保持部１５ｃとなる。第１切断端部１５ａと第２切断端部１５ｂが近すぎると、連結保持部１５ｃが狭くなって連結力が発揮できないので、第１切断端部１５ａと第２切断端部１５ｂを適宜離しておき、連結保持部１５ｃが容易に断裂しないようにしておくことが望ましい。また、第１切断端部１５ａと第２切断端部１５ｂを適宜離しておけば、手指で摘まむのに適した大きさや形状のつまみ片１７をつくり易くなる。つまみ用切断部１５は、非接合領域１４における上下方向のほぼ中間（内側開口縁部１０ａ２と開口用切断部１６の中間位置）につまみ片１７が生ずるように設けることが望ましい。後述するように、つまみ片１７を引っ張ったときの力を、内側開口縁部１０ａ２側と開口用切断部１６側へ均等に伝え易いからである。また、つまみ用切断部１５の第１切断端部１５ａと第２切断端部１５ｂは、中央折曲線Ｌ２上に形成することが望ましい。かくすると、連結保持部１５ｃが中央折曲線Ｌ２と一致するように形成されるので、つまみ片１７を引っ張る力を、内側プレート部１２の中央折曲線Ｌ２を山折りにする力として作用させ易い。
【００２６】
上述したオブラート支持容器１を、内側プレート部１２側が谷となるように中央折曲線Ｌ２に沿って半分に折り曲げると、つまみ用切断部１５に沿ってつまみ片１７を抜け出させることができる。紙製プレート１０は適宜な厚みを有するが、外側プレート部１１の外側第１側縁部１０ｂ１および外側第２側縁部１０ｃ１が、それぞれ内側プレート部１２の内側第１側縁部１０ｂ２および内側第２側縁部１０ｃ２と重なるよう貼り付けられている。このため、外側プレート部１１と内側プレート部１２を中折りすると、内側プレート部１２に生ずる歪みが外側に逃げられず、内側プレート部１２の折り曲げ側（非接合領域１４）に歪みが集中することとなる。そして、非接合領域１４に設けたつまみ片１７は、つまみ用切断部１５によって分離可能であるため、内側プレート部１２の折り曲げ側に作用する歪みの影響を受けないように、つまみ用切断部１５から抜け出すこととなる。折り曲げたオブラート支持容器を再び開いても、つまみ片１７がつまみ用切断部１５に再び嵌まってしまうことは殆どない。
【００２７】
このように、オブラート支持容器１を中央折曲線Ｌ２に沿って内側プレート部１２側が谷となるよう半分に折り曲げるという簡単な操作により、つまみ片１７をつまみやすい状態にすることができる。このつまみ片１７を摘まんで引き起こし、内側プレート部１２における非接合領域１４を外側プレート部１１の非接合対応領域１４′から引き剥がす方向（例えば、図１（Ｃ）におけるγ方向）に引っ張る。すると、内側プレート部１２の内側開口縁部１０ａ２と、開口用切断部１６から離隔した収容下縁部１８の範囲で非接合領域１４の中央部が隆起するので、非接合領域１４は中央折曲線Ｌ２に沿って山折りとなる。くわえて、非接合領域１４の第１テーパ折曲線Ｌ３ａおよび第２テーパ折曲線Ｌ３ｂが谷となるように折り曲げることにより、内側プレート部１２の非接合領域１４と外側プレート部１１との間に下方に向けて四角錘状に窪むオブラート収容部１９が画成される（図１（Ｄ）を参照）。
【００２８】
オブラート支持容器１を組み立てて使用状態にしたとき、オブラート収容部１９の底に開口１８ａを生じる。これは、非接合領域１４の下部となる第１，第２テーパ折曲線Ｌ３ａ，Ｌ３ｂの下端部Ｌ３ａ２，Ｌ３ｂ２を繋ぐように開口用切断部１６を設けたからである。このように、開口用切断部１６を設けることで、非接合領域１４の上下方向の長さを短くすれば、第１テーパ折曲線Ｌ３ａおよび第２テーパ折曲線Ｌ３ｂも短くなるので、それだけ反発抵抗が減り、第１，第２テーパ折曲線Ｌ３ａ，Ｌ３ｂを谷折りし易くなる。
【００２９】
また、重合折曲線Ｌ１、中央折曲線Ｌ２、第１，第２テーパ折曲線Ｌ３ａ，Ｌ３ｂは、折り曲げ箇所の指標であるから、折れ線を印刷しただけでも構わないが、折り易いように折り目加工を施しておくことが望ましい。例えば、スジ入れ加工で各折曲線を折り曲げ易くしても良いが、紙製プレート１０の材質や厚さによっては復元力が強いために、オブラート支持容器１を使用状態に保つことが難しい場合もある。そこで、紙製プレート１０の材質や厚さに応じた適切なミシンピッチを調整できるミシン目加工を行えば、折り曲げ易く、折り曲げた状態の保持が良好で、しかも容易に切れない折り目加工を各折曲線に施すことができる。
【００３０】
図２（１）に示すのは、第２実施形態に係るオブラート支持容器２である。このオブラート支持容器２においては、非接合領域１４の上端部につまみ片２７が生ずるようにした。そのため、第１切断端部２５ａから第２切断端部２５ｂまで連続する切断線であるつまみ用切断部２５の上縁は、内側プレート部１２の内側開口縁部１０ａ２と一致させてある。また、第１切断端部２５ａと第２切断端部２５ｂとの間である連結保持部２５ｃが、つまみ片２７の基端となる。この第２実施形態に係るオブラート支持容器２においても、第１実施形態のオブラート支持容器１と同様の操作によって、非使用状態から使用状態へ簡単に組み立てることができる。
【００３１】
図２（２）に示すのは、第３実施形態に係るオブラート支持容器３である。このオブラート支持容器３においては、非接合領域１４の下方につまみ片３７が生ずるようにした。そのため、第１切断端部３５ａから第２切断端部３５ｂまで連続する切断線であるつまみ用切断部３５は、開口用切断部１６に近接した位置に設けられる。また、第１切断端部３５ａと第２切断端部３５ｂとの間である連結保持部３５ｃが、つまみ片３７の基端となる。この第３実施形態に係るオブラート支持容器３においても、第１実施形態のオブラート支持容器１と同様の操作によって、非使用状態から使用状態へ簡単に組み立てることができる。
【００３２】
図２（３）に示すのは、第４実施形態に係るオブラート支持容器４である。このオブラート支持容器４においては、非接合領域１４の中央寄りにつまみ片４７が生ずるようにした。そのため、第１切断端部４５ａと第２切断端部４５ｂを中央折曲線Ｌ２よりも第２テーパ折曲線Ｌ３ｂ側に寄せて設け、第１切断端部４５ａから第２切断端部４５ｂまで連続する切断線であるつまみ用切断部４５が、中央折曲線Ｌ２を跨ぐように形成される。また、第１切断端部４５ａと第２切断端部４５ｂとの間である連結保持部４５ｃが、つまみ片４７の基端となる。この第４実施形態に係るオブラート支持容器４においても、第１実施形態のオブラート支持容器１と同様の操作によって、非使用状態から使用状態へ簡単に組み立てることができる。
【００３３】
図３（１）に示すのは、第５実施形態に係るオブラート支持容器５である。このオブラート支持容器５においては、中央折曲線Ｌ２に直交する直線状の開口用切断部５６を設けて、非接合領域５４とした。この第５実施形態に係るオブラート支持容器５においても、第１実施形態のオブラート支持容器１と同様の操作によって、非使用状態から使用状態へ簡単に組み立てることができる。
【００３４】
図３（２）に示すのは、第６実施形態に係るオブラート支持容器６である。このオブラート支持容器６においては、中央折曲線Ｌ２に対して対象に第１弧状切断部６６ａと第２弧状切断部６６ｂより成る開口用切断部６６を設けて、非接合領域６４とした。この第６実施形態に係るオブラート支持容器６においても、第１実施形態のオブラート支持容器１と同様の操作によって、非使用状態から使用状態へ簡単に組み立てることができる。
【００３５】
図３（３）に示すのは、第７実施形態に係るオブラート支持容器７である。このオブラート支持容器７においては、第１テーパ折曲線Ｌ３ａの下端部Ｌ３ａ２と第２テーパ折曲線Ｌ３ｂの下端部Ｌ３ｂ２が中央折曲線Ｌ２上で一致させ、非接合領域７４とした。この第７実施形態に係るオブラート支持容器７においても、第１実施形態のオブラート支持容器１と同様の操作によって、非使用状態から使用状態へ簡単に組み立てることができる。
【００３６】
以上、本発明に係るオブラート支持容器を実施形態に基づき説明したが、本発明は、これらの実施形態に限定されるものではなく、特許請求の範囲に記載の構成を変更しない限りにおいて実現可能な全てのオブラート支持容器を権利範囲として包摂するものである。
【符号の説明】
【００３７】
１      オブラート支持容器（第１実施形態）
１０      紙製プレート
１０ａ１  外側開口縁部
１０ａ２  内側開口縁部
１１      外側プレート部
１２      内側プレート部
１３      接着剤
１４      非接合領域
１４′    非接合対応領域
１５      つまみ用切断部
１５ａ    第１切断端部
１５ｂ    第２切断端部
１５ｃ    連結保持部
１７      つまみ片
Ｌ１      重合折曲線
Ｌ２      中央折曲線
Ｌ３ａ    第１テーパ折曲線
Ｌ３ｂ    第２テーパ折曲線
【図１】
2020169030.tif 000003
【図２】
2020169030.tif 000004
【図３】
2020169030.tif 000005
【手続補正書】
【提出日】令和1年7月18日(2019.7.18)
【手続補正１】
【補正対象書類名】明細書
【補正対象項目名】００１０
【補正方法】変更
【補正の内容】
【００１０】
前記課題を解決するための第１のオブラート支持容器は、薄板材から成る外側プレート部と、前記外側プレート部と同一形状の薄板材で、接合手段により前記外側プレート部と重ねて接合される内側プレート部と、前記外側プレート部と前記内側プレート部の対向する２辺である開口側縁部と底縁部を二分するように折り曲げるための中央折曲線と、前記内側プレート部の前記中央折曲線を中心として、前記開口側縁部から前記底縁部に向かってテーパ状に狭くなり、前記接合手段によって前記外側プレート部と接合されていない領域であって、前記内側プレート部が内側となるように前記中央折曲線で折り曲げつつ、前記内側プレート部の当該領域を前記外側プレート部から離隔させるように引き出して、前記内側プレート部側から見て当該領域を前記中央折曲線で山折りすることにより、前記中央折曲線で折り曲げた前記外側プレート部と山折りされた当該領域との間に、前記開口縁部から前記底縁部に向かって四角錘状に窪むオブラート収容部を形成できる非接合領域と、前記接合手段により接合された前記内側プレート部の領域と前記非接合領域との境界であり、前記中央折曲線に対して線対称となる両側境界にそれぞれ設けられ、前記非接合領域を前記外側プレート部から離隔させるように引き出して、前記内側プレート部側から見て前期非接合領域を前記中央折曲線で山折りするときに、前記接合手段により接合された前記内側プレート部の領域と前記非接合領域とが前記内側プレート部側から見て谷となるように折り曲げる指標となる一対のテーパ折曲線と、前記非接合領域に形成され、第１切断端部から第２切断端部まで連続する切断線が、前記オブラート収容部を形成するときに前記非接合領域を前記外側プレート部から離隔させるように引き出すために摘まめるつまみ片の形状となり、前記第１切断端部と前記第２切断端部との間が容易に断裂しない連結保持部となり、前記接合された前記外側プレート部と前記内側プレート部を、前記内側プレート部が内側となるように前記中央折曲線で折り曲げることで、前記内側プレート部に生ずる歪みが集中する前記非接合領域から前記つまみ片が抜け出し得るつまみ用切断部と、を設けたことを特徴とする。
【手続補正２】
【補正対象書類名】明細書
【補正対象項目名】００１１
【補正方法】変更
【補正の内容】
【００１１】
前記課題を解決するための第２のオブラート支持容器は、薄板材から成る同一形状の外側プレート部と内側プレート部を重ねて、接合手段により接合して成り、非使用状態から使用状態に組み立てることで、下部となる底縁部に対向する開口縁部の側に開口するオブラート収容部が画成されるオブラート支持容器であり、前記接合された前記外側プレート部と前記内側プレート部には、対向する２辺である前記開口側縁部と前記底縁部を二分するように折り曲げるための中央折曲線を設け、前記内側プレート部には、前記中央折曲線を中心とし、前記開口側縁部から前記底縁部に向かってテーパ状に狭くなる領域であって、前記接合手段によって前記内側プレート部が前記外側プレート部と接合されない非接合領域と、前記接合手段により接合された内側プレート部の領域と前記非接合領域との境界となる指標であり、前記中央折曲線に対して線対称となる両側境界にそれぞれ設けた一対のテーパ折曲線と、前記非接合領域に形成され、第１切断端部から第２切断端部まで連続する切断線がつまみ片の形状となり、前記第１切断端部と前記第２切断端部との間が容易に断裂しない連結保持部となるつまみ用切断部と、を設け、前記内側プレート部が内側となるように前記中央折曲線に沿って折り曲げることで、前記内側プレート部に生ずる歪みが集中する前記非接合領域から前記つまみ用切断部の前記切断線に沿って前記つまみ片を抜け出させ、再び平板状に戻すように開いた後、前記内側プレート部が内側となるように前記中央折曲線で折り曲げつつ、前記非接合領域から抜け出させた前記つまみ片を引っ張って前記外側プレート部から前記非接合領域を離隔させるように引き出し、引き出した前記非接合領域を前記内側プレート部側から見て前記中央折曲線で山折りすると共に、前記接合手段により接合された内側プレート部の領域と前記非接合領域とが前記内側プレート部側から見て谷となるように前記一対のテーパ折曲線で折り曲げることにより、前記内側プレート部の非接合領域と前記外側プレート部との間に前記開口縁部から前記底縁部に向かって四角錘状に窪むオブラート収容部を画成させるようにしたことを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
また、前記構成において、前記非接合領域の前記底縁部側の端となる一対の前記テーパ折曲線の底縁部側端部を繋ぐように開口用切断部を設け、前記オブラート収容部の前記底縁部側に開口を生じさせても良い。
【手続補正５】
【補正対象書類名】明細書
【補正対象項目名】００１４
【補正方法】変更
【補正の内容】
【００１４】
また、前記構成において、前記非接合領域の、前記中央折曲線が延びる方向における中間部位に、前記つまみ片が生ずるように、つまみ用切断部を設けても良い。
【手続補正６】
【補正対象書類名】明細書
【補正対象項目名】００１５
【補正方法】変更
【補正の内容】
【００１５】
また、前記構成において、前記つまみ用切断部の前記第１切断端部と前記第２切断端部は、前記中央折曲線上に形成しても良い。
【手続補正７】
【補正対象書類名】特許請求の範囲
【補正対象項目名】全文
【補正方法】変更
【補正の内容】
【特許請求の範囲】
【請求項１】
薄板材から成る外側プレート部と、
前記外側プレート部と同一形状の薄板材で、接合手段により前記外側プレート部と重ねて接合される内側プレート部と、
前記外側プレート部と前記内側プレート部の対向する２辺である開口側縁部と底縁部を二分するように折り曲げるための中央折曲線と、
前記内側プレート部の前記中央折曲線を中心として、前記開口側縁部から前記底縁部に向かってテーパ状に狭くなり、前記接合手段によって前記外側プレート部と接合されていない領域であって、前記内側プレート部が内側となるように前記中央折曲線で折り曲げつつ、前記内側プレート部の当該領域を前記外側プレート部から離隔させるように引き出して、前記内側プレート部側から見て当該領域を前記中央折曲線で山折りすることにより、前記中央折曲線で折り曲げた前記外側プレート部と山折りされた当該領域との間に、前記開口縁部から前記底縁部に向かって四角錘状に窪むオブラート収容部を形成できる非接合領域と、
前記接合手段により接合された前記内側プレート部の領域と前記非接合領域との境界であり、前記中央折曲線に対して線対称となる両側境界にそれぞれ設けられ、前記非接合領域を前記外側プレート部から離隔させるように引き出して、前記内側プレート部側から見て前期非接合領域を前記中央折曲線で山折りするときに、前記接合手段により接合された前記内側プレート部の領域と前記非接合領域とが前記内側プレート部側から見て谷となるように折り曲げる指標となる一対のテーパ折曲線と、
前記非接合領域に形成され、第１切断端部から第２切断端部まで連続する切断線が、前記オブラート収容部を形成するときに前記非接合領域を前記外側プレート部から離隔させるように引き出すために摘まめるつまみ片の形状となり、前記第１切断端部と前記第２切断端部との間が容易に断裂しない連結保持部となり、前記接合された前記外側プレート部と前記内側プレート部を、前記内側プレート部が内側となるように前記中央折曲線で折り曲げることで、前記内側プレート部に生ずる歪みが集中する前記非接合領域から前記つまみ片が抜け出し得るつまみ用切断部と、
を設けたことを特徴とするオブラート支持容器。
【請求項２】
薄板材から成る同一形状の外側プレート部と内側プレート部を重ねて、接合手段により接合して成り、非使用状態から使用状態に組み立てることで、下部となる底縁部に対向する開口縁部の側に開口するオブラート収容部が画成されるオブラート支持容器であり、
前記接合された前記外側プレート部と前記内側プレート部には、対向する２辺である前記開口側縁部と前記底縁部を二分するように折り曲げるための中央折曲線を設け、
前記内側プレート部には、
前記中央折曲線を中心とし、前記開口側縁部から前記底縁部に向かってテーパ状に狭くなる領域であって、前記接合手段によって前記内側プレート部が前記外側プレート部と接合されない非接合領域と、
前記接合手段により接合された内側プレート部の領域と前記非接合領域との境界となる指標であり、前記中央折曲線に対して線対称となる両側境界にそれぞれ設けた一対のテーパ折曲線と、
前記非接合領域に形成され、第１切断端部から第２切断端部まで連続する切断線がつまみ片の形状となり、前記第１切断端部と前記第２切断端部との間が容易に断裂しない連結保持部となるつまみ用切断部と、
を設け、
前記内側プレート部が内側となるように前記中央折曲線に沿って折り曲げることで、前記内側プレート部に生ずる歪みが集中する前記非接合領域から前記つまみ用切断部の前記切断線に沿って前記つまみ片を抜け出させ、再び平板状に戻すように開いた後、前記内側プレート部が内側となるように前記中央折曲線で折り曲げつつ、前記非接合領域から抜け出させた前記つまみ片を引っ張って前記外側プレート部から前記非接合領域を離隔させるように引き出し、引き出した前記非接合領域を前記内側プレート部側から見て前記中央折曲線で山折りすると共に、前記接合手段により接合された内側プレート部の領域と前記非接合領域とが前記内側プレート部側から見て谷となるように前記一対のテーパ折曲線で折り曲げることにより、前記内側プレート部の非接合領域と前記外側プレート部との間に前記開口縁部から前記底縁部に向かって四角錘状に窪むオブラート収容部を画成させるようにしたことを特徴とするオブラート支持容器。
【請求項３】
前記非接合領域の前記底縁部側の端となる一対の前記テーパ折曲線の底縁部側端部を繋ぐように開口用切断部を設け、前記オブラート収容部の前記底縁部側に開口を生じさせたことを特徴とする請求項１又は請求項２に記載のオブラート支持容器。
【請求項４】
前記非接合領域の、前記中央折曲線が延びる方向における中間部位に、前記つまみ片が生ずるように、前記つまみ用切断部を設けたことを特徴とする請求項１〜請求項３の何れか１項に記載のオブラート支持容器。
【請求項５】
前記つまみ用切断部の前記第１切断端部と前記第２切断端部は、前記中央折曲線上に形成したことを特徴とする請求項１〜請求項４の何れか１項に記載のオブラート支持容器。
【手続補正書】
【提出日】令和1年9月6日(2019.9.6)
【手続補正１】
【補正対象書類名】明細書
【補正対象項目名】００１０
【補正方法】変更
【補正の内容】
【００１０】
前記課題を解決するための第１のオブラート支持容器は、薄板材から成る外側プレート部と、前記外側プレート部と同一形状の薄板材で、接合手段により前記外側プレート部と重ねて接合される内側プレート部と、前記外側プレート部と前記内側プレート部の対向する２辺である開口側縁部と底縁部を二分するように折り曲げるための中央折曲線と、前記内側プレート部の前記中央折曲線を中心として、前記開口側縁部から前記底縁部に向かってテーパ状に狭くなり、前記接合手段によって前記外側プレート部と接合されていない領域であって、前記内側プレート部が内側となるように前記中央折曲線で折り曲げつつ、前記内側プレート部の当該領域を前記外側プレート部から離隔させるように引き出して、前記内側プレート部側から見て当該領域を前記中央折曲線で山折りすることにより、前記中央折曲線で折り曲げた前記外側プレート部と山折りされた当該領域との間に、前記開口側縁部から前記底縁部に向かって四角錘状に窪むオブラート収容部を形成できる非接合領域と、前記接合手段により接合された前記内側プレート部の領域と前記非接合領域との境界であり、前記中央折曲線に対して線対称となる両側境界にそれぞれ設けられ、前記非接合領域を前記外側プレート部から離隔させるように引き出して、前記内側プレート部側から見て前期非接合領域を前記中央折曲線で山折りするときに、前記接合手段により接合された前記内側プレート部の領域と前記非接合領域とが前記内側プレート部側から見て谷となるように折り曲げる指標となる一対のテーパ折曲線と、前記非接合領域に形成され、第１切断端部から第２切断端部まで連続する切断線が、前記オブラート収容部を形成するときに前記非接合領域を前記外側プレート部から離隔させるように引き出すために摘まめるつまみ片の形状となり、前記第１切断端部と前記第２切断端部との間が容易に断裂しない連結保持部となり、前記接合された前記外側プレート部と前記内側プレート部を、前記内側プレート部が内側となるように前記中央折曲線で折り曲げることで、前記内側プレート部に生ずる歪みが集中する前記非接合領域から前記つまみ片が抜け出し得るつまみ用切断部と、を設けたことを特徴とする。
【手続補正２】
【補正対象書類名】明細書
【補正対象項目名】００１１
【補正方法】変更
【補正の内容】
【００１１】
前記課題を解決するための第２のオブラート支持容器は、薄板材から成る同一形状の外側プレート部と内側プレート部を重ねて、接合手段により接合して成り、非使用状態から使用状態に組み立てることで、下部となる底縁部に対向する開口側縁部の側に開口するオブラート収容部が画成されるオブラート支持容器であり、前記接合された前記外側プレート部と前記内側プレート部には、対向する２辺である前記開口側縁部と前記底縁部を二分するように折り曲げるための中央折曲線を設け、前記内側プレート部には、前記中央折曲線を中心とし、前記開口側縁部から前記底縁部に向かってテーパ状に狭くなる領域であって、前記接合手段によって前記内側プレート部が前記外側プレート部と接合されない非接合領域と、前記接合手段により接合された前記内側プレート部の領域と前記非接合領域との境界となる指標であり、前記中央折曲線に対して線対称となる両側境界にそれぞれ設けた一対のテーパ折曲線と、前記非接合領域に形成され、第１切断端部から第２切断端部まで連続する切断線がつまみ片の形状となり、前記第１切断端部と前記第２切断端部との間が容易に断裂しない連結保持部となるつまみ用切断部と、を設け、前記内側プレート部が内側となるように前記中央折曲線に沿って折り曲げることで、前記内側プレート部に生ずる歪みが集中する前記非接合領域から前記つまみ用切断部の前記切断線に沿って前記つまみ片を抜け出させ、再び平板状に戻すように開いた後、前記内側プレート部が内側となるように前記中央折曲線で折り曲げつつ、前記非接合領域から抜け出させた前記つまみ片を引っ張って前記外側プレート部から前記非接合領域を離隔させるように引き出し、引き出した前記非接合領域を前記内側プレート部側から見て前記中央折曲線で山折りすると共に、前記接合手段により接合された前記内側プレート部の領域と前記非接合領域とが前記内側プレート部側から見て谷となるように前記一対のテーパ折曲線で折り曲げることにより、前記内側プレート部の非接合領域と前記外側プレート部との間に前記開口側縁部から前記底縁部に向かって四角錘状に窪むオブラート収容部を画成させるようにしたことを特徴とする。
【手続補正３】
【補正対象書類名】特許請求の範囲
【補正対象項目名】全文
【補正方法】変更
【補正の内容】
【特許請求の範囲】
【請求項１】
薄板材から成る外側プレート部と、
前記外側プレート部と同一形状の薄板材で、接合手段により前記外側プレート部と重ねて接合される内側プレート部と、
前記外側プレート部と前記内側プレート部の対向する２辺である開口側縁部と底縁部を二分するように折り曲げるための中央折曲線と、
前記内側プレート部の前記中央折曲線を中心として、前記開口側縁部から前記底縁部に向かってテーパ状に狭くなり、前記接合手段によって前記外側プレート部と接合されていない領域であって、前記内側プレート部が内側となるように前記中央折曲線で折り曲げつつ、前記内側プレート部の当該領域を前記外側プレート部から離隔させるように引き出して、前記内側プレート部側から見て当該領域を前記中央折曲線で山折りすることにより、前記中央折曲線で折り曲げた前記外側プレート部と山折りされた当該領域との間に、前記開口側縁部から前記底縁部に向かって四角錘状に窪むオブラート収容部を形成できる非接合領域と、
前記接合手段により接合された前記内側プレート部の領域と前記非接合領域との境界であり、前記中央折曲線に対して線対称となる両側境界にそれぞれ設けられ、前記非接合領域を前記外側プレート部から離隔させるように引き出して、前記内側プレート部側から見て前期非接合領域を前記中央折曲線で山折りするときに、前記接合手段により接合された前記内側プレート部の領域と前記非接合領域とが前記内側プレート部側から見て谷となるように折り曲げる指標となる一対のテーパ折曲線と、
前記非接合領域に形成され、第１切断端部から第２切断端部まで連続する切断線が、前記オブラート収容部を形成するときに前記非接合領域を前記外側プレート部から離隔させるように引き出すために摘まめるつまみ片の形状となり、前記第１切断端部と前記第２切断端部との間が容易に断裂しない連結保持部となり、前記接合された前記外側プレート部と前記内側プレート部を、前記内側プレート部が内側となるように前記中央折曲線で折り曲げることで、前記内側プレート部に生ずる歪みが集中する前記非接合領域から前記つまみ片が抜け出し得るつまみ用切断部と、
を設けたことを特徴とするオブラート支持容器。
【請求項２】
薄板材から成る同一形状の外側プレート部と内側プレート部を重ねて、接合手段により接合して成り、非使用状態から使用状態に組み立てることで、下部となる底縁部に対向する開口側縁部の側に開口するオブラート収容部が画成されるオブラート支持容器であり、
前記接合された前記外側プレート部と前記内側プレート部には、対向する２辺である前記開口側縁部と前記底縁部を二分するように折り曲げるための中央折曲線を設け、
前記内側プレート部には、
前記中央折曲線を中心とし、前記開口側縁部から前記底縁部に向かってテーパ状に狭くなる領域であって、前記接合手段によって前記内側プレート部が前記外側プレート部と接合されない非接合領域と、
前記接合手段により接合された前記内側プレート部の領域と前記非接合領域との境界となる指標であり、前記中央折曲線に対して線対称となる両側境界にそれぞれ設けた一対のテーパ折曲線と、
前記非接合領域に形成され、第１切断端部から第２切断端部まで連続する切断線がつまみ片の形状となり、前記第１切断端部と前記第２切断端部との間が容易に断裂しない連結保持部となるつまみ用切断部と、
を設け、
前記内側プレート部が内側となるように前記中央折曲線に沿って折り曲げることで、前記内側プレート部に生ずる歪みが集中する前記非接合領域から前記つまみ用切断部の前記切断線に沿って前記つまみ片を抜け出させ、再び平板状に戻すように開いた後、前記内側プレート部が内側となるように前記中央折曲線で折り曲げつつ、前記非接合領域から抜け出させた前記つまみ片を引っ張って前記外側プレート部から前記非接合領域を離隔させるように引き出し、引き出した前記非接合領域を前記内側プレート部側から見て前記中央折曲線で山折りすると共に、前記接合手段により接合された前記内側プレート部の領域と前記非接合領域とが前記内側プレート部側から見て谷となるように前記一対のテーパ折曲線で折り曲げることにより、前記内側プレート部の非接合領域と前記外側プレート部との間に前記開口側縁部から前記底縁部に向かって四角錘状に窪むオブラート収容部を画成させるようにしたことを特徴とするオブラート支持容器。
【請求項３】
前記非接合領域の前記底縁部側の端となる一対の前記テーパ折曲線の底縁部側端部を繋ぐように開口用切断部を設け、前記オブラート収容部の前記底縁部側に開口を生じさせたことを特徴とする請求項１又は請求項２に記載のオブラート支持容器。
【請求項４】
前記非接合領域の、前記中央折曲線が延びる方向における中間部位に、前記つまみ片が生ずるように、前記つまみ用切断部を設けたことを特徴とする請求項１〜請求項３の何れか１項に記載のオブラート支持容器。
【請求項５】
前記つまみ用切断部の前記第１切断端部と前記第２切断端部は、前記中央折曲線上に形成したことを特徴とする請求項１〜請求項４の何れか１項に記載のオブラート支持容器。